【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
ａ）次の式（１）：
Ｈ2Ｎ−Ｘ−ＮＨ2  （１）
のジアミン又は当該式（１）のジアミン数種の混合物と、次の式（２）：
【化１】
2008544004.tif 000001
のエポキシドとの反応生成物、
及び
ｂ）ジカルボン酸：
ＨＯＯＣ−Ｙ−ＣＯＯＨ
若しくはその無水物：
【化２】
2008544004.tif 000002
又はジカルボン酸数種の混合物若しくはそれらの無水物、
から生成させたポリマーであって、
（１）：（２）のモル比は、１：０．１〜１：２であり、
ａ）：ｂ）のモル比は、１．５：１〜０．５：１であり、
Ｒは、Ｃ1〜Ｃ30−アルキルオキシ、Ｃ1〜Ｃ30−アルキルカルボキシ、アリールオキシ、アリールカルボキシ、アラルキルオキシ、アラルキルカルボキシ、アルカリルオキシ、アルカリルカルボキシであり、
Ｘは、二価の直鎖若しくは分岐鎖の脂肪族基、又は脂環式族基若しくは芳香族基であり、
Ｙは、飽和又は不飽和の二価の脂肪族基、二価の脂環式基又は芳香族基であり、
ｐは、２〜１００の平均数であり、そして
ｑは、０〜１の平均数である、
前記ポリマー。
【請求項２】
（１）：（２）のモル比が、１：０．６〜１：２であり、
ａ）：ｂ）のモル比が、１．３：１〜０．７：１であり、
Ｒが、Ｃ1〜Ｃ30−アルキルオキシ、アリールオキシ、アラルキルオキシ、アルカリルオキシであり、
前記ジアミン又はジアミンの混合物が、エチレンジアミン、プロパン−１，２−ジアミン、プロパン−１，３−ジアミン、ヘキサメチレンジアミン、２−メチルペンタン−１，５−ジアミン、シクロヘキサン−１，２−ジアミン、シクロヘキサン−１，４−ジアミン、２，２，４−トリメチルヘキサン−１，６−ジアミン、イソホロンジアミン、ｍ−及びｐ−フェニレンジアミン、ビス−（４−アミノフェニル）−メタン、ビス−（４−アミノフェニル）−スルホン、ｍ−キシリレンジアミン、ビス−（４−アミノ−シクロヘキシル）−メタン、２，２−ビス−（４−アミノシクロヘキシル）−プロパン、２，２−ビス−（２−アミノ−３−メチルシクロヘキシル）−プロパン、４，７−ジオキサデカメチレンジアミン、１，３−ジ（アミノ−メチル）ベンゾール、１，４−ジ（アミノメチル）ベンゾール、アミノ末端化ポリラクタム、又はポリエチレングリコール若しくはポリプロピレングリコールのアミノプロピル化に由来するジアミンから選択され、
前記ジカルボン酸若しくはそれらの無水物又はそれらの混合物が、シュウ酸、マロン酸、コハク酸、グルタル酸、アジピン酸、スベリン酸、アゼライン酸、二量化リノール酸、シクロヘキサン−１，３−ジカルボン酸、シクロヘキサン−１，４−ジカルボン酸、イソフタル酸、テレフタル酸、シュウ酸、ノニル−若しくはドデシルコハク酸、テトラヒドロフタル酸、４−メチルテトラヒドロフタル酸、ヘキサヒドロフタル酸、４−メチルヘキサヒドロフタル酸、シクロヘキサン−１，２−ジカルボン酸、フタル酸又は酸末端化オリゴアミドから選択され、
ｐが、５〜５０の平均数を有し、そして
ｑが、０．０１〜０．６の平均数を有する、
請求項１に記載のポリマー。
【請求項３】
（１）：（２）のモル比が、１：０．８〜１：２であり、
ａ）：ｂ）のモル比が、１．２：１〜０．８：１であり、
Ｒが、Ｃ1〜Ｃ24−アルキルオキシであり、
前記ジアミン又はジアミンの混合物が、エチレンジアミン、プロパン−１，２−ジアミン、プロパン−１，３−ジアミン、ヘキサメチレンジアミン、２−メチルペンタン−１，５−ジアミン、シクロヘキサン−１，２−ジアミン、シクロヘキサン−１，４−ジアミン、２，２，４−トリメチルヘキサン−１，６−ジアミン、イソホロンジアミンから選択され、
前記ジカルボン酸若しくはそれらの無水物又はそれらの混合物が、コハク酸、グルタル酸、アジピン酸、スベリン酸、アゼライン酸、二量化リノール酸、シクロヘキサン−１，３−ジカルボン酸、シクロヘキサン−１，４−ジカルボン酸、イソフタル酸、テレフタル酸から選択され、
ｐが、５〜２５の平均数を有し、そして
ｑが、０．０１〜０．３の平均数を有する、
請求項２に記載のポリマー。
【請求項４】
（１）：（２）のモル比が、１：０．８〜１：２であり、
ａ）：ｂ）のモル比が、１．２：１〜０．８：１であり、
Ｒが、Ｃ1〜Ｃ20−アルキルオキシであり、
前記ジアミン又はジアミンの混合物が、プロパン−１，２−ジアミン、プロパン−１，３−ジアミン、ヘキサメチレンジアミン、２−メチルペンタン−１，５−ジアミン、シクロヘキサン−１，２−ジアミンから選択され、
前記ジカルボン酸若しくはそれらの無水物又はそれらの混合物が、コハク酸、アジピン酸、シクロヘキサン−１，２−ジカルボン酸、シクロヘキサン−１，４−ジカルボン酸、イソフタル酸、テレフタル酸から選択され、
ｐが、５〜２５の平均数を有し、そして
ｑが、０．０１〜０．３の平均数を有する、
請求項３に記載のポリマー。
【請求項５】
ａ）をｂ）と反応させる際に、次の式（３）：
ＨＲ’Ｎ−Ｘ−ＮＲ’’Ｈ  （３）
（式中、
Ｘは、上述の意味を有し、
Ｒ’は、Ｈ又はＣ1〜Ｃ8−アルキルであり、そして
Ｒ’’は、Ｈ又はＣ1〜Ｃ8−アルキルであるが、
但し、Ｒ及びＲ’’は、同時にＨではない）
の追加のジアミンを用いる、請求項１〜４のいずれか一項に記載のポリマー。
【請求項６】
請求項１〜５のいずれか一項に記載のポリマー１〜５０重量％と、分散剤０〜２０重量％と、ｐＨを調整するための無機酸若しくは有機酸、又は有機溶媒若しくは殺生剤から選択される追加の添加剤０〜２０重量％とを含む水性エマルション。
【請求項７】
請求項１〜５のいずれか一項に記載のポリマー２〜３０重量％と、分散剤０〜１０重量％と、追加の添加剤０〜１０重量％とを含む、請求項６に記載の水性エマルション。
【請求項８】
式（１）のジアミン又は式（１）のジアミン数種の混合物を、式（２）のエポキシドと反応させ、次いで、
得られた反応生成物を、ジカルボン酸若しくはその無水物、又はジカルボン酸数種の混合物若しくはそれらの無水物と反応させる、
請求項１〜４のいずれか一項に記載のポリマーを調製するための方法。
【請求項９】
ａ）をｂ）と反応させる際に、式（３）の追加のジアミンを用いる、請求項５に記載のポリマーを調製するための方法。
【請求項１０】
水、分散剤、又は請求項６に記載の追加の添加剤を添加して、前記ポリマーの水性エマルションを得る、請求項８に記載の方法。
【請求項１１】
テキスタイルの処理における湿潤作用滑剤としての、請求項１〜５のいずれか一項に記載のポリマー又は請求項６若しくは７に記載の水性エマルションの使用。
【請求項１２】
前記処理が、染色又は蛍光増白工程である、請求項１１に記載の使用。
【請求項１３】
次の各ステップを含む、染色又は前処理の際のテキスタイル材料の湿潤スリップ性を高めるための方法；
前記テキスタイル材料を、染色又は前処理用の装置に入れるステップ；
水と、請求項１〜５のいずれか一項に記載のポリマー又は請求項６若しくは７に記載の水性エマルションとを添加するステップ；
染料又は前処理化学物質を添加するステップ；
所望により追加の添加剤を添加するステップ；
ｐＨを所望の値に調整するステップ；
当該混合物を所望の温度まで加熱し、そして所望の時間、当該混合物をそこに保持するステップ：
上記混合物を冷却し、そして前記テキスタイル材料をすすぐステップ。
【手続補正２】
【補正対象書類名】明細書
【補正対象項目名】０００７
【補正方法】変更
【補正の内容】
【０００７】
好ましいポリマーは、
（１）：（２）のモル比が、１：０．６〜１：２であり、
ａ）：ｂ）のモル比が、１．３：１〜０．７：１であり、
Ｒが、Ｃ1〜Ｃ30−アルキルオキシ、アリールオキシ、アラルキルオキシ、アルカリルオキシであり、
上記ジアミン又はジアミンの混合物が、エチレンジアミン、プロパン−１，２−ジアミン、プロパン−１，３−ジアミン、ヘキサメチレンジアミン、２−メチルペンタン−１，５−ジアミン、シクロヘキサン−１，２−ジアミン、シクロヘキサン−１，４−ジアミン、２，２，４−トリメチルヘキサン−１，６−ジアミン、イソホロンジアミン、ｍ−及びｐ−フェニレンジアミン、ビス−（４−アミノフェニル）−メタン、ビス−（４−アミノフェニル）−スルホン、ｍ−キシリレンジアミン、ビス−（４−アミノ−シクロヘキシル）−メタン、２，２−ビス−（４−アミノシクロヘキシル）−プロパン、２，２−ビス−（２−アミノ−３−メチルシクロヘキシル）−プロパン、４，７−ジオキサデカメチレンジアミン、１，３−ジ（アミノ−メチル）ベンゾール、１，４−ジ（アミノメチル）ベンゾール、アミノ末端化ポリラクタム又はポリエチレングリコール若しくはポリプロピレングリコールのアミノプロピル化に由来するジアミンから選択され、
上記ジカルボン酸若しくはそれらの無水物又はそれらの混合物が、シュウ酸、マロン酸、コハク酸、グルタル酸、アジピン酸、スベリン酸、アゼライン酸、二量化リノール酸、シクロヘキサン−１，３−ジカルボン酸、シクロヘキサン−１，４−ジカルボン酸、イソフタル酸、テレフタル酸、シュウ酸、ノニル−又はドデシルコハク酸、テトラヒドロフタル酸、４−メチルテトラヒドロフタル酸、ヘキサヒドロフタル酸、４−メチルヘキサヒドロフタル酸、シクロヘキサン−１，２−ジカルボン酸、フタル酸又は酸−末端化オリゴアミドから選択され、
ｐが、５〜５０の平均数を有し、そして
ｑが、０．０１〜０．６の平均数を有する。
【手続補正３】
【補正対象書類名】明細書
【補正対象項目名】０００８
【補正方法】変更
【補正の内容】
【０００８】
特に好ましいポリマーは、
（１）：（２）のモル比が、１：０．８〜１：２であり、
ａ）：ｂ）のモル比が、１．２：１〜０．８：１であり、
Ｒが、Ｃ1〜Ｃ24アルキルオキシであり、
上記ジアミン又はジアミンの混合物が、エチレンジアミン、プロパン−１，２−ジアミン、プロパン−１，３−ジアミン、ヘキサメチレンジアミン、２−メチルペンタン−１，５−ジアミン、シクロヘキサン−１，２−ジアミン、シクロヘキサン−１，４−ジアミン、２，２，４−トリメチルヘキサン−１，６−ジアミン、イソホロンジアミンから選択され、
上記ジカルボン酸若しくはそれらの無水物又はそれらの混合物が、コハク酸、グルタル酸、アジピン酸、スベリン酸、アゼライン酸、二量化リノール酸、シクロヘキサン−１，３−ジカルボン酸、シクロヘキサン−１，４−ジカルボン酸、イソフタル酸、テレフタル酸から選択され、
ｐが、５〜２５の平均数を有し、そして
ｑが、０．０１〜０．３の平均数を有する。